(57)【要約】【課題】２以上のアンテナから構成される複数のアンテナ群ごとに通信を行う場合に、アンテナ群の切り替えに伴う通信の切断を防止すること。【解決手段】複数のアンテナ２０を備え、そのうち２以上から構成される複数のアンテナ群の少なくとも一部それぞれに異なる周波数を用いて複数の移動局装置それぞれと通信を行う基地局装置１２であって、複数の移動局装置のいずれかを選択し、選択された移動局装置との通信に使用するアンテナ群を切り替える場合の切替先アンテナ群を決定する切替先アンテナ群決定部４０と、選択された移動局装置との通信に切替先アンテナ群決定部４０により決定される切替先アンテナ群を使用した場合に、その通信の接続を維持できるか否かを予測する接続維持予測部３６と、接続維持予測部３６による予測結果に応じて、アンテナ群の切り替えを行うか否かを決定するアンテナ切替制御部４２と、を含む。【選択図】図２
2008136090.tif 000002
【特許請求の範囲】
【請求項１】
複数のアンテナを備え、該複数のアンテナのうち２以上から構成される複数のアンテナ群の少なくとも一部それぞれに異なる周波数を用いて複数の移動局装置それぞれと通信を行う基地局装置であって、
前記複数の移動局装置のいずれかを選択し、該選択された移動局装置との通信に使用するアンテナ群を切り替える場合の切替先アンテナ群を決定する切替先アンテナ群決定手段と、
前記選択された移動局装置との通信に前記切替先アンテナ群を使用した場合に、該通信の接続を維持できるか否かを予測する接続維持予測手段と、
前記接続維持予測手段による予測結果に応じて、前記アンテナ群の切り替えを行うか否かを決定するアンテナ切替制御手段と、
を含むことを特徴とする基地局装置。
【請求項２】
請求項１に記載の基地局装置において、
前記接続維持予測手段は、
前記選択された移動局装置から送信される無線信号を前記切替先アンテナ群に受信させるとともに、該切替先アンテナ群で受信された信号の受信品質を測定する受信品質測定手段をさらに含み、
前記受信品質測定手段により測定される受信品質に基づいて前記予測を行う、
ことを特徴とする基地局装置。
【請求項３】
請求項２に記載の基地局装置において、
前記アンテナ切替制御手段は、前記受信品質測定手段により測定される受信品質が所定レベル以上である場合に、前記アンテナ群の切り替えを行う、
ことを特徴とする基地局装置。
【請求項４】
複数のアンテナを備え、該複数のアンテナのうち２以上から構成される複数のアンテナ群の少なくとも一部それぞれに異なる周波数を用いて複数の移動局装置それぞれと通信を行う基地局装置のアンテナ切替制御方法であって、
前記複数の移動局装置のいずれかを選択し、該選択された移動局装置との通信に使用するアンテナ群を切り替える場合の切替先アンテナ群を決定するステップと、
前記選択された移動局装置との通信に前記切替先アンテナ群を使用した場合に、該通信の接続を維持できるか否かを予測する接続維持予測ステップと、
前記接続維持予測ステップでの予測結果に応じて、前記アンテナ群の切り替えを行うか否かを決定するステップと、
を含むことを特徴とするアンテナ切替制御方法。
【発明の詳細な説明】
【技術分野】
【０００１】
本発明は、基地局装置およびそのアンテナ切替制御方法に関し、特に、複数のアンテナを備え、それらのアンテナのうち２以上から構成される複数のアンテナ群の少なくとも一部それぞれに異なる周波数を用いて複数の移動局装置それぞれと通信を行う基地局装置およびそのアンテナ切替制御方法に関する。
【背景技術】
【０００２】
昨今、移動体通信システムにおいて、通信カバーエリアの拡大や通信チャネル数の増加が要請されている。これに対応するため、複数のアンテナと送受信部とを備える基地局装置を論理的に２以上の基地局装置（多局）に分割し、通信のカバーエリアとチャネル数を柔軟に変更する方式が採用されつつある。
【０００３】
たとえば、図５に示す２ｎ本のアンテナを等間隔サーキュラアレイアンテナ配置としたアダプティブアレイ基地局装置は、１の基地局装置としても動作し得るし、アンテナ２本を組み合わせて１の無線部を構成することにより最大ｎの基地局装置としても動作し得る。すなわち、図６ａ〜図６ｃのアダプティブアレイ基地局装置のブロック図に示すように、２ｎ本のアンテナそれぞれに接続される送受信部すべてに同一の局部発振信号を供給すれば、アンテナ２ｎ本で１の無線部を構成する「１−ＲＦモード」（図６ａ）で動作する。基地局装置を本モードで運用すれば、広範な通信カバーエリアを確保することができる。一方、送受信部４つごとに異なる局部発振信号を供給すればアンテナ４本で１の無線部を構成する「ｎ／２−ＲＦモード」（図６ｂ）で、また、送受信部２つごとに局部発振信号を供給すればアンテナ２本で１の無線部を構成する「ｎ−ＲＦモード」（図６ｃ）で、それぞれ動作する。基地局装置をこれらのモードで運用すれば、１−ＲＦモードに比べて、通信カバーエリアは縮小するものの、通信チャネル数がそれぞれ最大ｎ／２倍、ｎ倍に増加する。以下、基地局装置を論理的に複数の基地局装置として動作させるモードを「複数ＲＦモード」と称する。
【０００４】
なお、下記特許文献１には、複数のアンテナを備える基地局装置において、すべてのアンテナを用いて通信を行う「全アンテナモード（１−ＲＦモード）」で動作させる場合と、複数のアンテナを２以上のアンテナからなる複数のアンテナ群に分割しアンテナ群ごとに通信を行う「グループモード（複数ＲＦモード）」で動作させる場合とで、ローカル発振部と無線部との接続経路を変えることにより、送受信特性の劣化を防ぐ技術が開示されている。
【０００５】
また、下記特許文献２には、３本以上のアンテナからなるアダプティブアレイアンテナ装置において、受信信号のアンテナ相関値が最低となる２本のアンテナの組合せを用いて通信を行うことにより、装置規模の拡大を最小にしつつアダプティブアレイ受信性能を向上させる技術が開示されている。
【特許文献１】特開２００５−１２４０９６号公報
【特許文献２】特開２００４−２８９４０７号公報
【発明の開示】
【発明が解決しようとする課題】
【０００６】
複数ＲＦモードで動作する上記従来の基地局装置に、各移動局装置との通信に使用するアンテナ群を適宜別のアンテナ群に切り替える方式を適用すれば、通信品質の向上などが期待できる。しかしながら、通信中にアンテナ群の切り替えを行うと、アンテナ群の切り替えに伴って通信が切断され、却って通信品質が悪化する場合がある。
【０００７】
本発明は、上記従来の課題に鑑みてなされたものであり、２以上のアンテナから構成される複数のアンテナ群ごとに通信を行う場合に、アンテナ群の切り替えに伴う通信の切断を防止することができる基地局装置およびそのアンテナ切替制御方法を提供することを目的とする。
【課題を解決するための手段】
【０００８】
上記目的を達成するために、本発明に係る基地局装置は、複数のアンテナを備え、該複数のアンテナのうち２以上から構成される複数のアンテナ群の少なくとも一部それぞれに異なる周波数を用いて複数の移動局装置それぞれと通信を行う基地局装置であって、前記複数の移動局装置のいずれかを選択し、該選択された移動局装置との通信に使用するアンテナ群を切り替える場合の切替先アンテナ群を決定する切替先アンテナ群決定手段と、前記選択された移動局装置との通信に前記切替先アンテナ群を使用した場合に、該通信の接続を維持できるか否かを予測する接続維持予測手段と、前記接続維持予測手段による予測結果に応じて、前記アンテナ群の切り替えを行うか否かを決定するアンテナ切替制御手段と、を含むことを特徴としている。
【０００９】
本発明によれば、アンテナ群を切り替える前に、アンテナ群を切り替えた後の通信接続の状態を予測する。そして、その予測結果に応じて実際にアンテナ群を切り替えるか否かを決定する。このため、アンテナ群の切り替えに伴う通信の切断を防止できる。
【００１０】
また、本発明の一態様では、前記接続維持予測手段は、前記選択された移動局装置から送信される無線信号を前記切替先アンテナ群に受信させるとともに、該切替先アンテナ群で受信された信号の受信品質を測定する受信品質測定手段をさらに含み、前記受信品質測定手段により測定される受信品質に基づいて前記予測を行う。こうすれば、アンテナ群を切り替える前に、切替先アンテナ群で受信された信号の受信品質に基づいてアンテナ群を切り替えた後の通信品質を予測することができるため、アンテナ群の切り替えに伴う通信の切断を防止できるようになる。
【００１１】
また、本発明の一態様では、前記アンテナ切替制御手段は、前記受信品質測定手段により測定される受信品質が所定レベル以上である場合に、前記アンテナ群の切り替えを行う。こうすれば、切替先アンテナ群で受信される信号が通信継続に要する所定の受信品質を有しない場合にはアンテナ群の切り替えが制限されるため、アンテナ群の切り替えに伴う通信の切断を防止できるようになる。
【００１２】
また、本発明に係る基地局装置のアンテナ切替制御制御方法は、複数のアンテナを備え、該複数のアンテナのうち２以上から構成される複数のアンテナ群の少なくとも一部それぞれに異なる周波数を用いて複数の移動局装置それぞれと通信を行う基地局装置のアンテナ切替制御方法であって、前記複数の移動局装置のいずれかを選択し、該選択された移動局装置との通信に使用するアンテナ群を切り替える場合の切替先アンテナ群を決定するステップと、前記選択された移動局装置との通信に前記切替先アンテナ群を使用した場合に、該通信の接続を維持できるか否かを予測する接続維持予測ステップと、前記接続維持予測ステップでの予測結果に応じて、前記アンテナ群の切り替えを行うか否かを決定するステップと、を含むことを特徴としている。
【発明を実施するための最良の形態】
【００１３】
以下、本発明の一実施形態を図面に基づき詳細に説明する。
【００１４】
図１は、本発明の一実施形態に係る移動体通信システムの全体構成図である。同図に示すように、移動体通信システム１０は、基地局装置１２と複数の移動局装置１４（ここでは２つとする。）を含んで構成されている。
【００１５】
各移動局装置１４は、基地局装置１２と無線通信を行うものであり、たとえば可搬型の携帯電話機、携帯情報端末および通信カードである。ここでは、基地局装置１２とＴＤＤ（Time Division Duplex：時分割複信）方式によりデータの送受信を行い、またＴＤＭＡ（Time Division Multiple Access：時分割多重）方式により多重通信を行う。基地局装置１２は、後述するように、複数のアンテナとそれらアンテナにそれぞれ接続される同数の送受信部を備えている。そして、複数のアンテナのうち２以上から構成される複数のアンテナ群の少なくとも一部それぞれに異なるキャリア周波数を用いて各移動局装置１４と通信する。すなわち、２以上の送受信部ごとに異なるキャリア周波数を持つ局部発振信号を供給することにより、複数の無線部を構成する複数ＲＦモードで動作する。
【００１６】
基地局装置１２は、各移動局装置１４からの接続要求に応じて、複数のアンテナ群のうち通信に使用されていないアンテナ群のいずれかを当該各移動局装置１４との通信に割り当て、当該各移動局装置１４との通信を開始する。そして通信中は、通信品質の向上などを図るために、各移動局装置１４との通信に使用するアンテナ群を適宜別のアンテナ群に切り替える。
【００１７】
本実施形態に係る基地局装置１２は、通信中にアンテナ群の切り替えを行う場合、そのアンテナ群の切り替えを行う前に、アンテナ群を切り替えた後の通信接続の状態を予測し、その予測結果に応じて実際にアンテナ群を切り替えるか否かを決定する。すなわち、アンテナ群を切り替えた後に通信を継続することが困難であると予測される場合には、当該アンテナ群の切り替えを制限する。このため、アンテナ群の切り替えに伴う通信の切断を防止することができる。
【００１８】
以下では、上記処理を実現するために基地局装置１２が備える構成および動作についてより詳細に説明する。簡単のために、基地局装置１２は、８本のアンテナを備えており、アンテナ２本で構成される最大４つのアンテナ群それぞれに異なるキャリア周波数を用いて通信を行う「４−ＲＦモード」で動作する場合を例に挙げて説明する。
【００１９】
図２は、基地局装置１２のブロック図である。同図に示すように、基地局装置１２は、複数のアンテナ２０（ここでは８本とする。）、アンテナ・送受信部組合せ選択部２２、アンテナ２０と同数の送信部２６および受信部２８、複数の局部発振信号部３０（ここでは４つとする。）、ディジタル信号処理部３２、制御部３４、記憶部４４を含んで構成されている。なお、同図において、送受信部２５は１対の送信部２６と受信部２８および送受信切替スイッチを含む部分を示す。また、基地局装置１２が４−ＲＦモードで動作する場合、１つの局部発振信号部３０とそれに接続された２つの送受信部２５とを含む部分が１つの無線部２４に対応する。
【００２０】
アンテナ２０−１〜８は、その中で複数のアンテナ群を構成した場合に、各アンテナ群がなるべく異なる方向に指向性パターンを形成するように配置されている。たとえば、図５に示すように円周上に等間隔に並ぶように配置することができる。アンテナ８本のうち２本ずつを組み合せて各アンテナ群を構成する場合、２８の組合せの中から４つ以下のアンテナ群を随時構成するようにしてもよいし、予め４つのアンテナ群に分割しておいてもよい。これら各アンテナ群を構成するアンテナ２０の組合せは、後述する記憶部４４に予め記憶させておいてもよい。なお、本実施形態ではアンテナ本数を８本としたが、できるだけ多くの方向に指向性パターンを形成するためには、アンテナ本数を８本より多くする方が望ましい。
【００２１】
送信部２６は、ミキサ、フィルタ、パワーアンプを含んで構成されており、ディジタル信号処理部３２から入力されるベースバンド送信信号を局部発振信号部３０から供給される搬送波信号と乗算することにより無線信号に変換する。そして、無線信号を送信出力レベルにまで増幅して、当該送信部２６に接続されたアンテナ２０から放射する。
【００２２】
受信部２８は、ローノイズアンプ、ミキサ、フィルタを含んで構成されており、当該受信部２８に接続されたアンテナ２０で受信される無線信号を増幅し、増幅された信号を局部発振信号部３０から供給される搬送波信号と乗算することによりベースバンド受信信号に変換する。そして、ベースバンド受信信号をディジタル信号処理部３２に出力する。
【００２３】
なお、各送受信部２５において、送信部２６および受信部２８は、送受信切替スイッチを介してアンテナ２０と接続されており、送信および受信は時分割で（たとえばＴＤＭＡ／ＴＤＤフレーム周期の半分の周期で）切り替えられる。
【００２４】
局部発振信号部３０は、周波数シンセサイザを有しており、制御部３４からの制御信号に従って、周波数シンセサイザにより無線周波数帯の搬送波信号を生成し、送信部２６および受信部２８にそれぞれ供給する。本実施形態に係る基地局装置１２は、４つの局部発振信号部３０を備えているため、最大４つの無線部を構成して通信を行うことができる。すなわち、４つの局部発振信号部３０それぞれに異なる周波数の搬送波信号を生成させることにより、基地局装置１２は２つの送受信部２５で１つの無線部２４（アンテナ２本で１つのアンテナ群）を構成する４−ＲＦモードで動作する。なお、本実施形態では説明を省略するが、基地局装置１２を２−ＲＦモードや１−ＲＦモードで動作させることも可能である。たとえば、４つの局部発振信号部３０すべてに同一周波数の搬送波信号を生成させれば、基地局装置１２を８つの送受信部２５で１つの無線部を構成する１−ＲＦモードで動作させることができる。
【００２５】
アンテナ・送受信部組合せ選択部２２は、制御部３４（接続維持予測部３６、アンテナ切替制御４２）からの制御信号に従って、８本のアンテナ２０と８つの送受信部２５の中からアンテナ２０と送受信部２５との組合せを選択し、それらを相互に接続するものである。基地局装置１２が４−ＲＦモードで動作する場合、４つの無線部２４それぞれに２本のアンテナで構成される４つのアンテナ群のいずれを接続させるかを選択し、選択したアンテナ群を構成する２本のアンテナを選択した無線部２４に含まれる２つの送受信切替スイッチにそれぞれ接続する。前述のとおり、８本のアンテナは２本のアンテナを組わ合せて構成される４つのアンテナ群が互いに異なる指向性パターンを形成するように配置されているので、アンテナ・送受信部組合せ選択部２２に選択させる組合せを変えるだけで、各移動局装置１４との通信に適用する指向性パターンを変更することができる。
【００２６】
ディジタル信号処理部３２は、接続される送受信部２５と同数のＤ／Ａコンバータ、Ａ／Ｄコンバータ、およびＤＳＰ（Digital Signal Processor）を含んで構成されており、図示しない上位装置との間で送受信データを送受信するとともに、送受信部２５との間でベースバンド信号を送受信する。具体的には、各ＤＳＰにおいて、上位装置から入力される複数の送信データを時分割してＴＤＭＡ／ＴＤＤフレームにおける各タイムスロットに割り当て、各タイムスロットに割り当てた送信データに所定の変調処理を施してディジタル変調信号を生成する。そして、Ｄ／Ａコンバータによりディジタル変調信号をベースバンド送信信号に変換し、対応する送信部２６に出力する。また、対応する受信部２８から入力されるベースバンド受信信号をＡ／Ｄ変換後、タイムスロットごとに所定の復調処理を施し、復調された受信データを上位装置に出力する。
【００２７】
なお、アンテナ群ごとに（無線部２４ごとに）アダプティブアレイアンテナを構成する場合には、ディジタル信号処理部３２は、各ＤＳＰは対応するアンテナ２０のウェイトを算出し、ベースバンド信号に対して算出したウェイトを乗算する処理をさらに施すものとする。また、アンテナ群ごとにダイバーシティ受信を行う場合には、各アンテナ群を構成するアンテナ２０による受信信号の中から最良の受信特性を有する受信信号を選択する処理、あるいは、各アンテナ群を構成するアンテナ２０による受信信号を最大比合成する処理をさらに施すものとする。
【００２８】
制御部３４は、ＣＰＵ（Central Processing Unit：中央処理装置）およびメモリを含んで構成されており、基地局装置１２全体の制御を行う。機能的には、接続維持予測部３６、切替先アンテナ群決定部４０、アンテナ切替制御部４２を含んでおり、複数ＲＦモードの動作制御、各移動局装置１４との通信に使用するアンテナの割り当て、各アンテナ群で受信される信号の受信品質の測定などを行う。なお、上記の機能は、ＣＰＵがメモリに記憶される各種制御プログラムを実行することによって実現される。
【００２９】
切替先アンテナ群決定部４０は、通信中である複数の移動局装置１４のいずれかを選択し、選択された移動局装置１４（以下「被選択移動局装置」という。）との通信に使用するアンテナ群を切り替える場合の切替先となるアンテナ群（以下「切替先アンテナ群」という。）を決定するものである。たとえば、受信データのＢＥＲ（Bit Error Rate：ビット誤り率）が所定閾値を超えた場合、新規に接続を要求する移動局装置１４に他の移動局装置１４との通信に使用しているアンテナ群を割り当てる必要がある場合などに、各移動局装置１４との通信に使用されていないアンテナ群のいずれかを切替先アンテナ群として決定する。
【００３０】
接続維持予測部３６は、被選択移動局装置との通信に切替先アンテナ群決定部４０により決定される切替先アンテナ群を使用した場合に、その通信の接続を維持できるか否かを予測するものである。具体的には、後述する受信品質測定部３８を含んで構成されており、受信品質測定部３８により測定される切替先アンテナ群による受信品質が所定レベル以上である場合に、通信の接続を維持できると予測する。こうして、実際にアンテナ群を切り替える前に、アンテナ群を切り替えた後の通信接続の状態を予測する。
【００３１】
受信品質測定部３８は、被選択移動局装置から送信される無線信号を切替先アンテナ群に受信させる。具体的には、切替先アンテナ群を使用されていない受信部２８のいずれかに接続するようアンテナ・送受信部組合せ選択部２２に指示を出すとともに、その切替先アンテナ群が接続された受信部２８に被選択移動局装置との通信に使用しているキャリア周波数と同一の周波数を持つ搬送波信号を供給するよう対応する局部発振信号部３０を制御する。こうして、被選択移動局装置から送信される無線信号を、当該被選択移動局装置に割り当てられたタイムスロットにおいて、切替先アンテナ群に受信させる。切替先アンテナ群で受信される信号は、ディジタル信号処理部３２を介して受信品質測定部３８に出力される。
【００３２】
そして、受信品質測定部３８は、切替先アンテナ群で受信される信号の受信品質を測定する。たとえば、受信品質の指標値として、各アンテナ群による受信信号強度（ＲＳＳＩ：Receive Signal Strength Indication）の１タイムスロット分の平均値P_ave、または当該タイムスロットにおけるＲＳＳＩの最大値をP_peakとしたときに次式で示されるＲＳＳＩピーク係数P_pを用いることができる。
【００３３】
【数１】
2008136090.tif 000003
【００３４】
こうすれば、切替先アンテナ群による受信品質を少ない処理時間で測定することができる。また、受信品質の指標値として、受信信号のＣＩＮＲ（Carrier to Interference and Noise Ratio：搬送波対干渉および雑音電力比）、ＣＩＲ（Carrier to Interference Ratio：搬送波対干渉電力比）、ＣＮＲ（Carrier to Noise Ratio：搬送波対雑音電力比）、ＳＩＮＲ（Signal to Interference and Noise Ratio：信号対干渉波および雑音電力比）、ＳＩＲ（Signal to Interference Ratio：信号対干渉波電力比）、ＳＮＲ（Signal to Noise Ratio：信号対雑音電力比）などを用いてもよい。
【００３５】
アンテナ切替制御部４２は、接続維持予測部３６による予測結果に応じて、被選択移動局装置との通信に使用するアンテナ群を切替先アンテナ群決定部４０により決定される切替先アンテナ群に切り替えるか否かを決定するものである。具体的には、接続維持予測部３６がアンテナ群の切り替え後も通信の接続を維持できると予測する場合に、すなわち、受信品質測定部３８により測定される受信品質が所定レベル以上である場合に、上記アンテナ群の切り替えを行う。こうすれば、切替先アンテナ群で受信される信号が通信継続に要する所定の受信品質を有しない場合にはアンテナ群の切り替えが制限されるため、アンテナ群の切り替えに伴う通信の切断を防止できるようになる。なお、アンテナ群の切り替えは、切替先アンテナ群を被選択移動局装置との通信に使用するよう、アンテナ・送受信組合せ選択部２２およびディジタル信号処理部３２その他に指示を出すことにより行う。
【００３６】
記憶部４４は、たとえばメモリを含んで構成されており、複数ＲＦモードの種別に応じて適用されるアンテナ２０の組合せ（アンテナ群の構成パターン）、アンテナ２０の割り当て状況などを記憶するものである。図３は、記憶部４４の一例を示す図である。同図に示すように、記憶部４４は、アンテナ群の識別番号に関連づけて、当該アンテナ群を構成するアンテナ２０の組合せパターン、アンテナ群の割り当て状況を記憶する。
【００３７】
ここで、基地局装置１２の動作について説明する。図４は、基地局装置１２における通信中のアンテナ切替処理の一例を示すフロー図である。本処理は、たとえば、被選択移動局装置からの受信データのＢＥＲが所定閾値を超えた場合、新規に接続を要求する移動局装置１４に被選択移動局装置との通信に使用しているアンテナ群を割り当てる必要がある場合などに実行される。なお、本実施形態では、基地局装置１２は４−ＲＦモードで動作しており、通信中に動作モードを変更することはないものとする。
【００３８】
本処理が開始されると、切替先アンテナ群決定部４０は、被選択移動局装置との通信に使用するアンテナ群を切り替える場合の切替先アンテナ群を決定する（Ｓ１００）。
【００３９】
次に、受信品質測定部３８は、Ｓ１００で決定された切替先アンテナ群を、使用されていない受信部２８のいずれかに接続するようアンテナ・送受信部組合せ選択部２２に指示を出すとともに、それら切替先アンテナ群が接続された受信部２８に被選択移動局装置との通信に使用しているキャリア周波数と同一の周波数を持つ搬送波信号を供給するよう対応する局部発振信号部３０を制御する。
【００４０】
そして、受信品質測定部３８は、被選択移動局装置に割り当てられたタイムスロットにおいてディジタル信号処理部３２から入力される、切替先アンテナ群で受信される信号の受信品質を測定する。すなわち、切替先アンテナ群で受信される信号のＲＳＳＩを測定し（Ｓ１０２）、当該タイムスロットにおけるＲＳＳＩの平均値を算出する（Ｓ１０４）。
【００４１】
次に、アンテナ切替制御部４２は、Ｓ１０４で算出されたＲＳＳＩ平均値が所定値以上であるか否かを判断する（Ｓ１０６）。そして、所定値以上であれば、被選択移動局装置との通信に使用するアンテナ群をＳ１００で決定された切替先アンテナ群に切り替える（Ｓ１０８）。一方、Ｓ１０４で算出されるＲＳＳＩ平均値が所定値未満であれば、アンテナ群の切り替えは行わない。
【００４２】
以上説明した基地局装置１２によれば、アンテナ群を切り替える前に、アンテナ群を切り替えた後の通信接続の状態を予測し、その予測結果に応じて実際にアンテナ群を切り替えるか否かを決定するため、アンテナ群の切り替えに伴う通信の切断を防止することができる。
【００４３】
なお、本発明は、上記実施形態に限定されるものではなく、種々の変形実施が可能である。たとえば、以上の説明では、ＴＤＭＡ／ＴＤＤ方式を移動体通信システムに本発明を適用したが、本発明は、その他の通信方式を採用する移動体通信システムにも適用可能である。
【００４４】
また、上記実施形態では、局部発振信号部３０と送受信部２５との接続を固定し、アンテナ２０と送受信部２５との接続を可変としたが、逆に、局部発振信号部３０と送受信部２５との接続を可変とし、アンテナ２０と送受信部２５との接続を固定してもよいし、両接続をいずれも可変としてもよい。
【図面の簡単な説明】
【００４５】
【図１】本発明の実施の形態に係る移動体通信システムの構成図である。
【図２】本発明の実施の形態に係る基地局装置のブロック図である。
【図３】記憶部の一例を示す図である。
【図４】基地局装置におけるアンテナ切替処理の一例を示すフロー図である。
【図５】等間隔サーキュラアレイアンテナ配置を採用したアダプティブアレイ基地局装置を示す図である。
【図６ａ】アダプティブアレイ基地局装置のブロック図である。
【図６ｂ】アダプティブアレイ基地局装置のブロック図である。
【図６ｃ】アダプティブアレイ基地局装置のブロック図である。
【符号の説明】
【００４６】
１０  移動体通信システム、１２  基地局装置、１４  移動局装置、２０  アンテナ、２２  アンテナ・送受信部組合せ選択部、２４  無線部、２５  送受信部、２６  送信部、２８  受信部、３０  局部発振信号部、３２  ディジタル信号処理部、３４  制御部、３６  接続維持予測部、３８  受信品質測定部、４０  切替先アンテナ群決定部、４２  アンテナ切替制御部、４４  記憶部。
【図１】
2008136090.tif 000004
【図２】
2008136090.tif 000005
【図３】
2008136090.tif 000006
【図４】
2008136090.tif 000007
【図５】
2008136090.tif 000008
【図６ａ】
2008136090.tif 000009
【図６ｂ】
2008136090.tif 000010
【図６ｃ】
2008136090.tif 000011